(57)【特許請求の範囲】
【請求項１】
ＰＤＭを用いて光源の発光を制御可能な映像表示装置であって、
１フレームを表示する周期Ｔの期間を第１の時間分割数Ｎで分割した時間ステップ刻みで滑らかに増加又は減少する目標発光強度が設定された発光プロファイルと、
前記発光プロファイルに基づいて、前記期間を第２の時間分割数Ｄで複数の小領域に均等に分割し、当該小領域ごとに、当該小領域における目標発光強度の合算値Ｓｍと当該小領域における時間ステップ数Ｎ/Ｄとに基づいて算出される当該小領域における目標発光強度の平均値と、前記期間における目標発光強度の最大値Ｈとに基づいて、数式Ｐｒｍ＝Ｓｍ／（Ｈ×Ｎ／Ｄ）で表される当該小領域における発光パルス発生比率Ｐｒｍを算出し、当該発光パルス発生比率Ｐｒｍに基づいて当該小領域におけるパルス波形信号を生成することにより、前記期間において、当該小領域ごとにパルス密度が増加又は減少するパルス波形信号を生成するリモートコントロールと、
前記パルス波形信号のオン／オフを発光素子の発光のオン／オフに割り当て発光素子を発光する光源駆動回路と、
を備えることにより、
前記期間における光源の発光強度が前記小領域ごとに滑らかに増加又は減少するように制御すること、
を特徴とする映像表示装置。
【請求項２】
前記目標発光強度は、前記期間を第１の時間分割数Ｎで分割した時間ステップ刻みで指数関数的に増加又は減少するものであること、
を特徴とする請求項１に記載の映像表示装置。
【請求項３】
前記小領域は、前記期間を１０乃至１００００分割したものであること、
を特徴とする請求項１又は２に記載の映像表示装置。
【請求項４】
前記映像表示装置は、ＬＣＤ表示装置であることを特徴とする請求項１乃至３のいずれか１項に記載の映像表示装置。
【請求項５】
前記映像表示装置は、プロジェクタ表示装置であることを特徴とする請求項１乃至３のいずれか１項に記載の映像表示装置。
【請求項６】
前記映像表示装置は、自発光表示装置であることを特徴とする請求項１乃至３のいずれか１項に記載の映像表示装置。
【発明の詳細な説明】
【技術分野】
【０００１】
本発明は、デジタル発光制御を行う映像表示装置に関する。
【背景技術】
【０００２】
ＬＣＤ（Ｌｉｑｕｉｄ  Ｃｒｉｓｔａｌ  Ｄｉｓｐｌａｙ）表示装置における映像表示は、従来１秒間に３０フレームから６０フレーム程度の連続する動画像に常時発光するバックライトを併用する方法が採られている。
【０００３】
しかし、この方法では動画ぼやけの発生に起因する動画質劣化が顕著である。そのため、近年、特に液晶テレビでは、補間画像を用いた毎秒１２０フレームから２４０フレームによる表示にバックライトを明滅させる方法を組み合わせた動画ぼやけ対策が行われている。
【先行技術文献】
【特許文献】
【０００４】
【特許文献１】特開２０１１−７５８００号公報
【０００５】
【特許文献２】特許４３３７６７３号公報
【発明の概要】
【発明が解決しようとする課題】
【０００６】
ＬＣＤ表示装置等のバックライトの発光制御に関しては、例えば、時間応答性の高いＬＥＤを用いて矩形波型の発光制御を行うものがある（特許文献１）。
【０００７】
しかし、上述の発光制御を用いた表示装置では、ジャーキネス（Ｊｅｒｋｉｎｅｓｓ：ｄｅｆｉｎｅｄ  ｉｎ  ＡＮＳＩ  Ｔ１．８０１．０２−１９９６  ａｓ  “Ｍｏｔｉｏｎ  ｔｈａｔ  ｗａｓ  ｏｒｉｇｉｎａｌｌｙ  ｓｍｏｏｔｈ  ａｎｄ  ｃｏｎｔｉｎｕｏｕｓ  ｉｓ  ｐｅｒｃｅｉｖｅｄ  ａｓ  ａ  ｓｅｒｉｅｓ  ｏｆ  ｄｉｓｔｉｎｃｔ  ｓｎａｐｓｈｏｔｓ．”）と呼ばれる動画質劣化や画面のちらつきが知覚されるため、これに起因した視覚疲労が新たな課題として懸念されている。
【０００８】
ある文献（Ｂｉｏｌｏｇｉｃａｌ  Ｐｓｙｃｈｏｌｏｇｙ：Ａｎ  Ｉｎｔｒｏｄｕｃｔｉｏｎ  ｔｏ  Ｂｅｈａｖｉｏｒａｌ，Ｃｏｇｎｉｔｉｖｅ，ａｎｄ  Ｃｌｉｎｉｃａｌ  Ｎｅｕｒｏｓｃｉｅｎｃｅ，Ｓｅｃｏｎｄ  Ｅｄｉｔｉｏｎ，Ｓｉｎａｕｅｒ  Ａｓｓｏｃｉａｔｉｏｎ，１９９９，ｐ．２２６）によれば、視細胞は急な光刺激の変化を与えられた直後にバースト状の神経活動を起こすことが知られている。また、同文献（ｐ．１９７）によれば、ヒトの神経応答は刺激を受けた直後が大きく、その後次第に緩和していくことが知られている。
【０００９】
このように、神経は急激な刺激の変化に敏感であることから、刺激の変化が時間的に滑らかであれば、生体において平常時に近いより穏やかな反応がもたらされるということが想定される。
【００１０】
ここで、急激な光強度の変化により多くの動画質劣化や画面のちらつきが知覚されるという課題を解決するための発光制御に関しては、例えば、発光強度が一定となるように画面の輝度を時間的に連続的に増加又は減少させる時間特性として、一定の関数形を適用したものがある（特許文献２）。
【００１１】
しかし、上述の発光制御はアナログの電流制御を中心として記載され、ＰＷＭ（Ｐｕｌｓｅ  Ｗｉｄｔｈ  Ｍｏｄｕｌａｔｉｏｎ）やＰＡＭ（Ｐｕｌｓｅ  Ａｍｐｌｉｔｕｄｅ  Ｍｏｄｕｌａｔｉｏｎ）による実施についてそれによって実現してもよい等の記述にとどめられ、そうしたデジタル発光制御についての具体的な記載はなされていない。
【００１２】
また、アナログの電流制御による発光制御を実現しようとすると、例えば、ＬＥＤ発光素子ドライバーＩＣ、ＡＮ３７０１１Ｂの電流制御を可能とする端子（ＩＰ＿ＲＥＦ端子）で受けることのできる信号の時間応答性能が不足し、フレーム期間中の発光強度の変化を与えることができず、新たな高速応答性を有するアナログ回路を開発する必要があるが、そのような駆動回路の設計は困難であり、コストが高くなる問題がある。
【００１３】
本発明はこのような課題に鑑み、一般のＬＥＤ発光素子ドライバーＩＣ等で光速応答性を有しつつ受けることのできるデジタル信号入力に着目し、ブロックの法則（視覚情報処理ハンドブック，朝倉書店，２０００，ｐ．２１９）のような、視覚に存在する２０ミリ秒ほどの積分時間すなわち２０ミリ秒より短い時間内に呈示された光刺激が足し合わされる性質、および神経活動の最大頻度の時間間隔が１ミリ秒程度であること（Ｍａｒｋ  Ｆ．Ｂｅａｒ，Ｂａｒｒｙ  Ｗ．Ｃｏｎｎｏｒｓ，Ｍｉｃｈａｅｌ  Ａ．Ｐａｒａｄｉｓｏ：Ｎｅｕｒｏｓｃｉｅｎｃｅ  ｅｘｐｌｏｒｉｎｇ  ｔｈｅ  ｂｒａｉｎ，Ｗｉｌｌｉａｍｓ  ａｎｄ  Ｗｉｌｋｉｎｓ，ｐｐ．２４５−２４６，１９９６）を考察に加え、看者にとって見易くかつ視覚疲労が少ない映像を表示できるようにするとともに、低コストでの実現が可能なデジタル発光制御を行う映像表示装置を提供することを目的とする。
【課題を解決するための手段】
【００１４】
本発明に係る映像表示装置は上記目的を達成するために、
ＰＤＭを用いて光源の発光を制御可能な映像表示装置であって、
１フレームを表示する周期Ｔの期間を第１の時間分割数Ｎで分割した時間ステップ刻みで滑らかに増加又は減少する目標発光強度が設定された発光プロファイルと、
前記発光プロファイルに基づいて、前記期間を第２の時間分割数Ｄで複数の小領域に均等に分割し、当該小領域ごとに、当該小領域における目標発光強度の合算値Ｓｍと当該小領域における時間ステップ数Ｎ／Ｄとに基づいて算出される当該小領域における目標発光強度の平均値と、前記期間における目標発光強度の最大値Ｈとに基づいて、数式Ｐｒｍ＝Ｓｍ／（Ｈ×Ｎ／Ｄ）で表される当該小領域における発光パルス発生比率Ｐｒｍを算出し、当該発光パルス発生比率Ｐｒｍに基づいて当該小領域におけるパルス波形信号を生成することにより、前記期間において、当該小領域ごとにパルス密度が増加又は減少するパルス波形信号を生成するリモートコントロールと、
前記パルス波形信号のオン／オフを発光素子の発光のオン／オフに割り当て発光素子を発光する光源駆動回路と、
を備えることにより、
前記期間における光源の発光強度が前記小領域ごとに滑らかに増加又は減少するように制御すること、
を特徴とする。
【００１５】
上記の解決手段によれば、ＬＣＤ表示装置、プロジェクタ発光表示装置、自発光表示装置等の映像表示装置において、ＰＤＭを用いて急激な発光強度の変化を緩和することにより、看者にとって見易くかつ視覚疲労が少ない映像を表示することができる。ここで、自発光表示装置とは、有機ＥＬディスプレイ（ウィキペディア、ＵＲＬ：ｈｔｔｐｓ：//ｊａ．ｗｉｋｉｐｅｄｉａ．ｏｒｇ／ｗｉｋｉ／有機エレクトロルミネッセンス）や、Ｃｒｙｓｔａｌ  ＬＥＤディスプレイ（ウィキペディア、ＵＲＬ：ｈｔｔｐｓ：//ｊａ．ｗｉｋｉｐｅｄｉａ．ｏｒｇ／ｗｉｋｉ／Ｃｒｙｓｔａｌ＿ＬＥＤ＿Ｄｉｓｐｌａｙ）等に代表される表示素子自体が発光する表示装置である。
【発明の効果】
【００１６】
本発明によれば、ＰＤＭを用いたデジタル発光制御により、動画ぼやけやジャーキネスと呼ばれる動画質劣化等を低減されるほか、急激な発光強度の変化が緩和され、看者にとって見易くかつ視覚疲労が少ない映像を表示することができる。
【図面の簡単な説明】
【００１７】
【図１】本発明の実施例１に係る実施の形態の機能的構成を示すブロック図である。
【図２】本発明の実施例２に係る実施の形態の機能的構成を示すブロック図である。
【図３】本発明の実施例３に係る実施の形態の機能的構成を示すブロック図である。
【図４】本発明の実施に係る発光制御信号の一例である。
【図５】本発明の実施に係る処理フローの一例を示すフローチャートである。
【発明を実施するための形態】
【００１８】
以下、本発明の実施の形態の例である実施例１乃至３について、図面を参照して説明する。なお、本発明は以下の記述のみに限定されるものではなく、本発明の要旨を逸脱しない範囲において適宜変更可能である。
【実施例１】
【００１９】
本発明の実施例１に係る実施の形態について、図１、４および５を参照して説明する。図１は、本発明の実施例１に係る実施の形態の機能的構成を示すブロック図である。
【００２０】
図１に示すように、本発明の実施例１に係る映像表示装置は、少なくとも、映像入力および画質等初段信号処理回路１、デジタル波形信号発生回路および記憶回路２、リモートコントロール３、ＬＥＤ等発光素子駆動回路４（以下、「光源駆動回路４」という。）、ＬＥＤ等バックライト５、ＬＣＤ表示装置６ならびに映像信号供給回路タイミングコントローラおよびＬＣＤ駆動回路７を備える。
【００２１】
映像入力および画質等初段信号処理回路１は、映像信号を受け取り、ガンマ補正等画質に関する信号処理を行い、映像の同期信号をデジタル波形信号発生回路および記憶回路２に送出する。また映像信号と同期信号を映像信号供給回路タイミングコントローラおよびＬＣＤ駆動回路７に送出する。
【００２２】
デジタル波形信号発生回路および記憶回路２は、受け取った同期信号にあわせてバックライトを発光させる波形信号を生成し、またその信号を記憶し、および選択して読み出すための機能を有する。ここで、生成される波形信号は、リモートコントロール３においてＰＤＭを用いて変換されたデータ列である。
【００２３】
リモートコントロール３は、１フレーム期間ｔ（０＜ｔ＜＝Ｔ）の発光強度プロファイル（時間ｔ（時間ステップ）に対する発光強度の関数Ｆｔ）として設定された目標発光強度データに基づいて、ＰＤＭを用いて滑らかにパルス密度の変化するブロック列に変換した信号を、デジタル波形信号発生回路および記憶回路２へ出力する。リモートコントロール３は、ＰＣ等により実装することができる。
【００２４】
光源駆動回路４は、デジタル波形信号発生回路および記憶回路２から受け取った波形信号を、映像信号供給回路タイミングコントローラおよびＬＣＤ駆動回路７が駆動するＬＣＤ表示タイミングに同期してＬＥＤ等バックライト５に供給し、これをＬＣＤ６の表示と整合するように発光させる。光源駆動回路４は、一般のＬＥＤ発光素子ドライバーＩＣ等を備えた駆動回路により実現することができる。
【００２５】
図４は、上述の目標発光強度データの一例であり、目標発光強度３１とそれに対応するパルス発光強度３２を示したものである。この図において、横軸は時間（ステップ番号）、縦軸は発光強度（単位は任意）である。
【００２６】
図４に示す目標発光強度データは、光強度の立ち下がりに指数関数的な減少を与えたものである。これは、ヒトの神経活動は外界からの刺激に対して指数関数的な応答を示すことが一般に知られており、そのことから刺激そのものにも指数関数的な変化を与えることがヒトにとって親和性が高まる可能性があることを考慮して試みた例であるが、発光強度の変化はこのような指数関数的なものに限定されるものではない。目標発光強度データはあくまでも動画質劣化を低減し、看者にとって見易くかつ視覚疲労の少ない映像を提供するために与えるものであるので、例えば、目標発光強度の変化は線形関数的に変化するものでも、一様増加または一様減少であっても良い。
【００２７】
次に、図５に示すフローチャートを参照して、本発明の実施例１に係る処理フローを説明する。
【００２８】
まず、Ｓ４１では、１フレーム期間の発光プロファイル（時間ステップtに対する発光強度の関数Ｆｔ）が設定される。
【００２９】
Ｓ４２では、上記発光プロファイルを時間分割数Ｎにおいて量子化し、発光強度デジタル値Ｖｉ（添字ｉはステップ番号）を算出する。
【００３０】
Ｓ４３では、１フレーム期間をＤ個に均等分割し、その小領域（番号ｍ，ｍ＝０からＤ−１）それぞれにおいてステップ番号ｊ（ｊ＝０からＮ/Ｄ−１）を定義し、Ｎ/Ｄ個の発光強度デジタル値を加算し、小計Ｓｍ＝Σ（Ｖｊ）を算出する。
【００３１】
Ｓ４４では、上記小領域それぞれにおいて、小計Ｓｍと小領域における時間ステップ数Ｎ/Ｄとに基づいて算出される目標発光強度の平均値を、発光プロファイルピーク値Ｈで割った数値として、各小領域における発光パルス発生比率Ｐｒｍ＝Ｓｍ／（Ｈ×Ｎ/Ｄ）を算出する。
【００３２】
Ｓ４５では、上記小領域それぞれにおいて、ｊ％（ｉｎｔ）（１．０／Ｐｒｍ）＝０（％は割り算の余りを求める演算、（ｉｎｔ）は整数化演算）が成立するときは１、それ以外のときは０（ただし、Ｐｒｍ＞０．５のときはｊ％（ｉｎｔ）（１．０／（１．０−Ｐｒｍ））＝０が成立するときに０、それ以外は１）となるような、全領域についての１ビットデータのブロック列を生成する。
【００３３】
Ｓ４６では、上記ブロック列を２進数から８進数等、ＰＣ等の制御装置において送信しやすい形式に変換し、ディスプレイのバックライト制御回路へ伝送する。
【００３４】
Ｓ４７では、ディスプレイ側において、必要に応じて表示のスキャンに対応したバックライトのブロック分割を用意し、バックライト全体またはそのブロックごとにデータをビット列に展開し、１と０をフレーム毎にそれぞれ発光素子の発光ｏｎ／ｏｆｆに割り当てバックライトを発光する。
【００３５】
なお、図５に示すフローチャートの処理においては、分割する区間を任意にずらして複数回得られたパルスデータの密度を平均化する方法により、フレーム期間全体により滑らかなパルス密度の変化データを得ることができる。
【００３６】
したがって、本発明の実施例１に係る実施の形態によれば、発光プロファイルに基づいて、１フレーム期間を分割した小領域ごとに滑らかにパルス密度の変化するブロック列へ変換したのち、光源駆動回路４が保有する入力特性に適合するパルス波形信号を生成し、ＬＣＤ表示装置５のバックライトの発光を制御することにより、バックライトの急激な発光強度の変化を緩和することができるので、看者にとって見易くかつ視覚疲労が少ない映像表示を実現することができる。
【実施例２】
【００３７】
次に、本発明の実施例２に係る実施の形態について、図２を参照して説明する。図２は、本発明の実施例２に係る実施の形態の機能的構成を示すブロック図である。
【００３８】
図２に示すように、本発明の実施例２に係る映像表示装置は、少なくとも、映像入力および画質等初段信号処理回路１１、デジタル波形信号発生回路および記憶回路１２、リモートコントロール１３、光源駆動回路１４、光源ランプ１５、映像信号供給回路タイミングコントローラおよび表示デバイス駆動回路１６、反射型液晶等表示デバイス１７ならびにプロジェクションのための光学系１８を備える。
【００３９】
なお、本発明の実施例２に係る映像表示装置は、実施例１におけるＬＣＤ表示装置５のバックライト発光制御をプロジェクタ表示装置の発光制御に置き換えたものであるので、説明は省略するが、リモートコントロール１３は実施例１のものと共通する。また、光源駆動回路１４は実施例１の光源駆動回路４と同様、デジタル発光制御を行う。
【００４０】
また、本発明の実施例２に係る処理フローについての説明は省略するが、１フレーム期間を分割した小領域ごとに発光パルス発生比率Ｐｒｍを算出する点等は、上述の実施例１における処理フローと共通するものである。
【００４１】
したがって、本発明の実施例２に係る実施の形態によれば、発光プロファイルに基づいて、１フレーム期間を分割した小領域ごとに滑らかにパルス密度の変化するブロック列へ変換したのち、光源駆動回路１４が保有する入力特性に適合するパルス波形信号を生成し、プロジェクタ表示装置の光源１５の発光を制御することにより、プロジェクタ表示装置の光源１５の急激な発光強度の変化を緩和することができ、実施例１と同様、看者にとって見易くかつ視覚疲労が少ない映像表示を実現することができる。
【実施例３】
【００４２】
次に、本発明の実施例３に係る実施の形態について、図３を参照して説明する。図３は、本発明の実施例３に係る実施の形態の機能的構成を示すブロック図である。
【００４３】
図３に示すように、本発明の実施例３に係る映像表示装置は、少なくとも、映像入力および画質等初段信号処理回路２１、デジタル波形信号発生回路および記憶回路２２、リモートコントロール２３、表示信号生成および駆動回路２４、自発光ディスプレイパネル２５ならびに映像信号供給回路タイミングコントローラ２６を備える。
【００４４】
なお、本発明の実施例３に係る映像表示装置は、実施例１におけるＬＣＤ表示装置のバックライト発光制御を自発光表示装置の自発光制御に置き換えたものであり、説明は省略するが、リモートコントロール２３は実施例１のものと共通する。また、表示信号生成および光源駆動回路２４は実施例１の光源駆動回路４と同様、デジタル発光制御を行う。
【００４５】
また、本発明の実施例３に係る処理フローについての説明は省略するが、１フレーム期間を分割した小領域ごとに発光パルス発生比率Ｐｒｍを算出する点等は、上述の実施例１における処理フローと共通するものである。
【００４６】
したがって、本発明の実施例３に係る実施の形態によれば、発光プロファイルに基づいて、１フレーム期間を分割した小領域ごとに滑らかにパルス密度の変化するブロック列へ変換したのち、光源駆動回路２４が保有する入力特性に適合するパルス波形信号を生成し、自発光素子２５の発光を制御することにより、自発光素子２５そのものの急激な発光強度の変化を緩和することができ、実施例１と同様、看者にとって見易くかつ視覚疲労が少ない映像表示を実現することができる。
【００４７】
以上のように、本発明の実施例１乃至３に係る実施の形態によれば、ＰＤＭを用いて１フレーム期間を分割した小領域ごとに目標発光強度データに対応するパルス密度のブロック列を生成し、デジタル発光制御を行うことにより、急激な発光強度の変化を緩和することができるので、看者にとって見易くかつ視覚疲労が少ない映像表示を実現することができる。
【００４８】
なお、上述の目標発光強度データは、例えば１フレーム期間を１／２４０秒とし、時間分解によって４０９６（２の１２乗）個に分割した場合、１ステップがマイクロ秒のオーダーとなる。この目標発光強度データに基づいて生成されたブロック列はその後、駆動回路が保有する時定数により自然に低域通過型のフィルターを通したように滑らかに変化することがあるが、それはより滑らかな発光強度の変化を得るために有利である。一方、駆動回路の時間分解能が高い場合には、低域通過型フィルターを追加しても良い。
【００４９】
また、視覚特性にはミリ秒オーダーの低域通過型フィルターに匹敵する効果があるため、マイクロ秒オーダーの細かい時間変動が残っていても加算平均されて大局的な強度変化として知覚されることが知られている。
【００５０】
このことからすれば、１フレーム期間を通常の日本やアメリカのテレビ方式すなわち１／６０秒としてミリ秒単位に分割し、分割数をおよそ１０程度にしても良い。
【００５１】
また、これよりも細かく分割しても良好な効果を得ることが可能である。例えば、一般の駆動回路のパルス駆動の最大周波数を考慮し、分割数を１００００程度に十分細かくしても良い。
【産業上の利用可能性】
【００５２】
本発明は、テレビ、コンピュータモニター、モバイルディスプレイ、車載用ディスプレイ、広告用ディスプレイ、医療用ディスプレイ等、映像表示装置に広く適用することができる。
【００５３】
本発明は、明細書に記載の実施形態に限定されるものではなく、他の実施例、変形例を含むことは、本明細書の記載の実施形態や思想から本発明の属する分野における当業者にとって明らかである。
【符号の説明】
【００５４】
１      映像入力および画質等初段信号処理回路
２      デジタル波形信号発生回路および記憶回路
３      リモートコントロール
４      ＬＥＤ等発光素子駆動回路（光源駆動回路）
５      ＬＥＤ等バックライト
６      ＬＣＤ（液晶ディスプレイ）
７      映像信号供給回路タイミングコントローラおよびＬＣＤ駆動回路
１１    映像入力および画質等初段信号処理回路
１２    デジタル波形信号発生回路および記憶回路
１３    リモートコントロール
１４    光源駆動回路
１５    光源ランプ
１６    映像信号供給回路タイミングコントローラおよび表示デバイス駆動回路
１７    反射型液晶等表示デバイス
１８    光学系
２１    映像入力および画質等初段信号処理回路
２２    デジタル波形信号発生回路および記憶回路
２３    リモートコントロール
２４    表示信号生成および光源駆動回路
２５    自発光ディスプレイパネル
２６    映像信号供給回路タイミングコントローラ
３１    目標発光強度グラフ
３２    パルス発光グラフ
４１    １フレーム期間の発光プロファイル（時間ステップｔに対する発光強度の関数Ｆｔ）を設定するステップ
４２    上記発光プロファイルを時間分割数Ｎにおいて量子化し発光強度デジタル値Ｖｉを算出するステップ（ここで添字ｉは分割ステップ番号（ｉ＝０からＮ−１）をあらわす）
４３    １フレーム期間をＤ個に均等分割しその小領域（番号ｍ，ｍ＝０からＤ−１）それぞれにおいてステップ番号ｊ（ｊ＝０からＮ/Ｄ−１）を定義し、Ｎ/Ｄ個の発光強度デジタル値を加算し、小計Ｓｍ＝Σ（Ｖｊ）を算出するステップ
４４    上記小領域それぞれにおいて小計Ｓｍと小領域における時間ステップ数Ｎ/Ｄとに基づいて算出される目標発光強度の平均値を、発光プロファイルピーク値Ｈで割った数値として、各小領域における発光パルス発生比率Ｐｒｍ＝Ｓｍ／（Ｈ×Ｎ/Ｄ）を算出するステップ
４５  上記小領域それぞれにおいてｊ％（ｉｎｔ）（１．０／Ｐｒｍ）＝０が成立するときは１、それ以外のときは０となるような全領域についての１ビットデータのブロック列を生成するステップ（ここで、％は割り算の余りを求める演算、（ｉｎｔ）は整数化演算をあらわす）
４６  上記ブロック列を２進数から８進数等、ＰＣ等の制御装置において送信しやすい形式に変換しディスプレイのバックライト制御回路へ伝送するステップ
４７  ディスプレイ側において、必要に応じて表示のスキャンに対応したバックライトのブロック分割を用意し、バックライト全体またはそのブロックごとにデータをビット列に展開し、１と０をフレーム毎にそれぞれ発光素子の発光ｏｎ／ｏｆｆに割り当てバックライトを発光するステップ
【図１】
0006610918.tif 000002
【図２】
0006610918.tif 000003
【図３】
0006610918.tif 000004
【図４】
0006610918.tif 000005
【図５】
0006610918.tif 000006